(57)【特許請求の範囲】
【請求項１】
光学的リライタブル形式のディスク状記録媒体上の記録を防ぐ方法であって、
第１の書き込みストラテジーに従って所定速度でデータを記録するのに適用される前記ディスク状記録媒体上にプリグルーブを形成するステップと、
前記ディスク状記録媒体上の前記プリグルーブに、絶対時間基準（ＡＴＩＰ）情報を与えるステップと、
前記ディスク状記録媒体上に、最適パワー制御のためのパワー較正領域及び／又は、一時的にテーブルオブコンテンツを蓄積するためのプログラムメモリ領域を予約し、前記パワー較正領域及び前記プログラムメモリ領域の各々の開始位置が、後続のリードイン領域に相対的な固定時間オフセットにより決定されるステップと
を有し、
前記方法は、更に、前記リードイン領域の開始前にＡＴＩＰ時間コードへのＡＴＩＰ時間コードジャンプを導入することによって、データがプリグルーブに記録される前記所定速度より遅い異なる速度で前記ディスク状記録媒体上にデータを記録するよう構成される記録装置から前記パワー較正領域及び前記プログラムメモリ領域の１つ又は両方を隠すことを特徴とする方法。
【請求項２】
前記リードイン領域の開始時間までの全てのＡＴＩＰ時間コードを約１分減少させることを特徴とする請求項１に記載の方法。
【請求項３】
パワー較正領域を、テスト領域とカウント領域に分割し、前記テスト領域と前記カウント領域の間にＡＴＩＰ時間コードジャンプを導入することを特徴とする請求項１に記載の方法。
【請求項４】
前記リードイン領域の開始時間を発端として前記パワー較正領域内の最後に使用された領域までＡＴＩＰ時間コードを減少させることを特徴とする請求項１に記載の方法。
【請求項５】
光学的リライタブル形式のディスク状記録媒体であって、
第１の書き込みストラテジーに従って所定速度でデータが記録するのに適用され、絶対時間基準（ＡＴＩＰ）情報を表す時間コードを有するプリグルーブ、
最適パワー制御手順に使用するのに適用されるパワー較正領域及び/又は、
テーブルオブコンテンツを一時的に蓄積するのに適用されるプログラムメモリ領域が設けられ、
前記パワー較正領域及び前記プログラムメモリ領域のうちの少なくとも１つの領域の開始位置は、後続のリードイン領域に相対的な固定時間オフセットにより決定され、
前記パワー較正領域及び前記プログラムメモリ領域のうちの少なくとも１つの領域は、データがプリグルーブに記録される前記所定速度より遅い異なる速度で前記ディスク状記録媒体上にデータを記録するよう構成される記録装置から隠され、前記リードイン領域の開始前の前記時間コードは、絶対時間基準の時間ジャンプを含むことを特徴とするディスク状記録媒体。
【請求項６】
前記リードイン領域のおおよその開始時間までの全ての時間コードは約１分の前記絶対時間基準の減少を含むことを特徴とする請求項５に記載のディスク状記録媒体。
【請求項７】
前記パワー較正領域は、テスト領域とカウント領域に分割され、
前記テスト領域と前記カウント領域の間の時間コードは、前記絶対時間基準の時間ジャンプを含むことを特徴とする請求項５に記載のディスク状記録媒体。
【請求項８】
ＡＴＩＰ時間コードは、前記リードイン領域の開始時間を発端として前記パワー較正領域内の最後に使用された領域まで減少されることを特徴とする請求項５に記載のディスク状記録媒体。
【請求項９】
前記ディスク状記録媒体はＣＤ−ＲＷであることを特徴とする請求項５に記載のディスク状記録媒体。
【請求項１０】
光学的リライタブル形式のディスク状記録媒体上にディジタル情報信号を記録するのに適用される記録装置であって、
ディジタル情報信号を受信する入力手段と、
前記ディスク状記録媒体に記録するための受信されたディジタル情報信号を符号化する符号化手段と、
少なくとも第１の書き込みストラテジーに従って所定速度で前記ディスク状記録媒体に符号化された情報信号を表す光学的に検出可能なマークを書き込むための書き込み手段と、
前記ディスク状記録媒体上のプリグルーブ内に記録された絶対アドレス情報を表す時間コードを読み出すアドレス検出手段と、
前記アドレス検出手段によって読み出された前記時間コードに基づいて、前記ディスク状記録媒体上に、最適パワー制御手順のために使用されるパワー較正領域及びテーブルオブコンテンツを一時的に蓄積するのに使用されるプログラムメモリ領域のうちの少なくとも１つの領域を配置する制御ユニットとを有し、
前記パワー較正領域及び前記プログラムメモリ領域のうちの少なくとも１つの領域の開始位置は、前記ディスク状記録媒体の後続のリードイン領域に相対的な固定時間オフセットにより決定され、
前記少なくとも１つの領域は、データがプリグルーブに記録される前記所定速度より遅い異なる速度で前記ディスク状記録媒体上にデータを記録するよう構成される記録装置から隠され、前記制御ユニットは、前記リードイン領域の開始前の絶対時間基準の前記時間コード内の時間ジャンプに関連する情報を有することを特徴とする装置。
【請求項１１】
前記制御ユニットは、前記リードイン領域のおおよその開始時間までの全ての時間コード内に前記絶対時間基準の減少に関連する情報を有することを特徴とする請求項１０に記載の記録装置。
【請求項１２】
前記制御ユニットは、前記パワー較正領域内のテスト領域とカウント領域との間の時間コード内で、前記絶対時間基準の時間コードジャンプに関連する情報を有することを特徴とする請求項１０に記載の記録装置。
【請求項１３】
前記制御ユニットは、前記リードイン領域の開始時間を発端として減少された絶対時間基準を有する前記パワー較正領域内の最後に使用された領域までの全ての時間コードに関連する情報を含むことを特徴とする請求項１０に記載の記録装置。
【請求項１４】
前記記録装置は、ＣＤ−ＲＷを前記ディスク状記録媒体として扱うように構成されていることを特徴とする請求項１０に記載の記録装置。
【請求項１５】
前記ディスク状記録媒体は、ＣＤ−ＲＷディスクであって、前記第１の書き込みストラテジーは、４倍速から１０倍速で前記ＣＤ−ＲＷディスクを記録するのに適した書き込みストラテジーであることを特徴とする、請求項１記載の方法。
【請求項１６】
前記ディスク状記録媒体は、ＣＤ−ＲＷディスクであって、前記第１の書き込みストラテジーは、４倍速から１０倍速で前記ＣＤ−ＲＷディスクを記録するのに適した書き込みストラテジーであることを特徴とする、請求項５記載のディスク状記録媒体。
【請求項１７】
前記ディスク状記録媒体は、ＣＤ−ＲＷディスクであって、前記第１の書き込みストラテジーは、４倍速から１０倍速で前記ＣＤ−ＲＷディスクを記録するのに適した書き込みストラテジーであることを特徴とする、請求項１０記載の記録装置。
【発明の詳細な説明】
【０００１】
本発明は、光学的リライタブル形式のディスク状記録媒体上の記録を防ぐ方法に関する。
【０００２】
本発明は、光学的リライタブル形式のディスク状記録媒体上の記録を防ぐ方法に関し、この方法は、第１の書き込みストラテジーに従って、データを書き込むのに適用されるディスク状記録媒体上のプリグルーブを与え、前記ディスク状記録担体上に、最適パワー制御（ＯＰＣ）のためのパワー較正領域（ＰＣＡ）及び／又は、一時的にテーブルオブコンテンツ（ＴＯＣ）を蓄積するためのプログラムメモリ領域（ＰＭＡ）を予約する。
【０００３】
本発明は、更に、光学的リライタブル形式のディスク状記録媒体上にディジタル情報信号を記録するのに適用される記録装置に関し、前記装置は、ディジタル情報信号を受信する入力手段と、ディスク状記録媒体に記録するための受信されたディジタル情報信号を符号化する符号化手段と、第１の書き込みストラテジーに従ってディスク状記録媒体に符号化された情報信号を表す光学的に検出可能なマークを書き込むための書き込み手段と、ディスク状記録媒体上に、最適パワー制御（ＯＰＣ）手順のために使用されるパワー較正領域（ＰＣＡ）及び/又は、テーブルオブコンテンツ（ＴＯＣ）を一時的に蓄積するのに使用されるプログラムメモリ領域（ＰＭＡ）を配置するアドレス決定手段とを有する。
【０００４】
本発明は、請求項５の前文に従った光学的リライタブル形式のディスク状記録媒体にも関連する。
【０００５】
光学的リライタブル形式のディスク状記録媒体は、例えば、欧州特許３９０２６８（ＰＨＮ１３１４８）に開示され、参照によりここに組み込まれる。再生に加えて記録を可能とするそのようなディスクは、ＣＤ−レコーダブル（ＣＤ−Ｒ）、ＣＤ−イレーザブル（ＣＤ−Ｅ）、ＣＤ−リライタブル（ＣＤ−ＲＷ）と呼ばれる。
【０００６】
名前が示すように、ＣＤ−ＲＷは、ユーザが以前に記録された情報を消去し且つその場所に新たな情報を記録することを可能とする媒体と記録システムであり、ＣＤ媒体上に短期間蓄積を実現する。これは、パワーの変化によりアモルファスから結晶へ媒体材料を記録レーザビームにより変化させることを可能とする”相変化”技術を使用する新たなＣＤ−ＲＷ媒体により達成される。
【０００７】
第１世代のＣＤ−ＲＷディスクは、約１５０ｋｂｐｓの、従来のＣＤ−ＲＯＭディスクの標準速度の１倍から４倍の速度の範囲での速度アプリケーションに対して設計されている。しかし、次の世代のＣＤ−ＲＷディスクは、この標準速度の４倍から１０倍の範囲の高速アプリケーションに対して設計されている。相変化材料の典型的な振舞いにより、これらのディスクは新たな書き込みストラテジーを必要とし、それは低速度の記録には適さない。更に、１Ｘ，２Ｘ及び、４Ｘ記録速度に対して定義された現在ある書き込みストラテジーは、これらの新たなディスクでは動作しない。
【０００８】
低速度範囲で動作するように設計されている、幾つかの現在あるＣＤ−ＲＷ記録装置は、新たな高速ディスクを認識しそして、それらを拒否する。しかし、他はこれらのディスクを受け入れ、そして、例えば、デフォルトの２Ｘ速度の現在ある書き込みストラテジーの１つに従ってそれらに記録を行う。これらの記録されたものは、読み出すことができない信号となり、それにより以前に記録された情報を破壊する。
【０００９】
従って、他のものの間で、本発明の目的は、上述の欠点を除去することである。本発明の方法の１つの特徴に従って、第１の書き込みストラテジーに従って、ディスク状記録媒体上にデータを記録するのに適用されない記録装置が、前記領域の１つ又は両方を追跡することを不可能とすることを特徴とする。
【００１０】
両方の領域は記録装置により必要なので、低速度範囲で動作するように設計されている、現在ある記録装置に対してこれらの領域を隠すことは、ディスクの拒否となる。
【００１１】
ディスク状記録媒体上のプリグルーブ内に絶対時間基準（ＡＴＩＰ）情報を与えることを含む方法により、前記領域の開始位置は、後続のリードイン領域に相対的な固定の時間オフセットにより決定され、その優位な実施例は、リードイン領域の開始前にＡＴＩＰ時間コードへＡＴＩＰ時間コードジャンプを導入することを特徴とする。ＣＤ−ＲＷディスクのプリグルーブはプリグルーブに絶対時間基準を含む。ＰＣＡとＰＭＡの位置はリードイン領域の開始時間に相対的な固定のオフセットにより決定されるので、これらの領域は追跡不可能である。
【００１２】
本発明に従った更なる優位な実施例は、ディスク状記録媒体の実施例と本発明に従った記録装置が説明において開示されている。
【００１３】
本発明のこれらの及び更なる特徴は、好適な実施例の開示を参照し、そして、特に添付の図面を参照して以下に説明する。
【００１４】
ＣＤ−ＲＷでは、記録装置により使用されるのに予約されるリードイン領域に先立つ２つの領域がある。パワー較正領域（ＰＣＡ）は、実際のディスクの最適書き込みパワーを決定するためにテスト記録を行うことを意味する。毎回ディスクがＣＤ−Ｒドライブに挿入されると、ＣＤを記録するのに最適なパワー設定を判断するためにＰＣＡの面でレーザが点灯される。最適設定には、記録速度、湿度、周囲温度及び、使用されるディスクの形式のような種々のものが影響を与える。プログラムメモリ領域（ＰＭＡ）は、一時的にテーブルオブコンテンツ（ＴＯＣ）を蓄積することを意味する。ＴＯＣはトラック番号及び、（音楽に対して）それらの開始及び終了時間又は、データＣＤ上のデータファイルの開始のためのセクタアドレスを含む。
【００１５】
情報領域、データを含むディスク上の領域は、３つの領域に分割されている。リードイン領域は主チャンネルは無音でサブコードＱ−チャネルにテーブルオブコンテンツ（ＴＯＣ）を含む。リードイン領域は、プログラム領域の開始前に、レーザピックアップヘッドがピットを追従することと、オーディオ又はコンピュータデータへ同期することを可能とする。プログラム領域は、約７６分までの最大で９９トラックに分割されたデータを含む。リードアウト領域は、ディジタル無音又は、ゼロデータを含む。これは、ＣＤプログラムの最後を定義する。
【００１６】
ＰＣＡとＰＭＡ領域の両方は、記録装置により必要とされ、それにより、低速アプリケーション速度に関する現在の記録装置から隠された場合には、これらの記録装置は最適パワー制御（ＯＰＣ）手順を行うことができず、そして、一時的なＴＯＣを読むことができない。この結果、これらの記録装置は、ディスクを拒否する。
【００１７】
ＰＣＡとＰＭＡの位置は、図１に示すように、リードイン領域の開始時間に相対的な固定の時間オフセットにより決定される。
【００１８】
新世代の高速ディスクに関しては、本発明の第１の実施例に従って、リードイン領域の開始時間の直前に例えば１分間のＡＴＩＰ時間コードのジャンプを導入することにより、現在あるドライブに対して、ＰＣＡとＰＭＡが追跡されないようにすることができる。言いかえると、図２に示すように、リードイン領域の開始時間までの全てのＡＴＩＰ時間コードは、１分だけ減少される。
【００１９】
現在あるドライブは、古いディスクと新しいディスクを識別することができず、そして、従って、それぞれＰＣＡとＰＭＡを見つけるために、古いディスク上には見つかるが新しいディスク上には見つからないＡＴＩＰ時間コード（ｔ３−００：３５：６５）又は（ｔ３−００：１３：２５）を検索する。
【００２０】
高速アプリケーションにおいて、高速ディスクと共に動作するようになされた新たなドライブ又はアップグレードされたドライブは、新たなディスクを認識できそして、ＡＴＩＰ時間コードジャンプの存在を知ることができ、そして、新たなディスク上で、それぞれＰＣＡとＰＭＡを見つけるために、（ｔ３−０１：００：００−００：３５：６５）又は（ｔ３−０１：００：００−００：１３：２５）を検索する。
【００２１】
しかし、幾つかの記録装置は再生中もアクセスのためにＰＭＡを使用するので、優位に第２の実施例はＰＭＡをそのままで残しておく。これを達成するために、ＡＴＩＰ時間コードジャンプが図３を参照して示されるように選択される。ＰＭＡ前に良好なアクセス制御のために有益な幾つかのバッファ領域を有するために、時間コードジャンプは図３に示すように、ＰＣＡ内のカウント領域の最後に使用されたフレームの直後に配置するのが好ましいであろう。ここで、ＴＳＬ＝ｔ３＝開始ＴＩＭＥリードインである。
【００２２】
図４は本発明に従った好適な第３の実施例を示す。図４に示すように、パワー較正領域ＰＣＡは２つの領域に分割される。第１の領域は、ディスクに対する正しい読出しパワーを得るためにテストが行われるテスト領域である。第２の領域は、テスト領域の度の部分が使用できるかを読むカウント領域である。ＰＣＡの両領域は、パーティション番号１から始まり順次使用されねばならない、パーティションに分割される。ＰＣＡは、何回も使用でき、一旦全てのパーティションが使用されると、全ＰＣＡが消去され、その後、次のパワー較正手順及び、次のシーケンスで利用できる。ＡＴＩＰジャンプ位置は、図２と３に示す実施例に関して、ＰＣＡテスト領域とＰＣＡカウント領域の間のバッファ領域にシフトされる。これは、ＡＴＩＰジャンプとＰＭＡ領域の間の２分の距離となる。これは、ドライブがＰＭＡをアクセスするための更なる空間の優位性を与える。幾つかのドライブはプログラムメモリ領域（ＰＭＡ）を採用するので、利用できる自由な空間又はバッファ領域は図２と３を参照して説明したような使用に対しては不充分な可能性がある。ドライブは、９６：５１：３０から９７：１１：２９のＰＣＡテストパーティションを期待することに注意する。
【００２３】
図５を参照して、本発明に従った記録装置の次の実施例を説明する。記録装置１は、リムーバブル記録媒体３を受ける記録媒体受け手段２を有する。記録媒体３は、ＣＤ−ＲＷ、ＤＶＤ−ＲＡＭ又は、ＤＶＤ−ＲＷのような光学的リライタブル形式のディスクでも良い。記録媒体３は、回転手段４により、回転して駆動される。光学的ピックアップユニット５は、記録媒体３の半径方向に移動可能であり、光ビーム６を使用して、記録媒体３上のらせんトラック８に沿って光学的に検出可能なマークを書き込む。このために、記録媒体３は、結晶又はアモルファス状態で異なる光学的特性を有する適する相変化材料が設けられる。光ビーム６で加熱するとこれらの状態を引き起こす。光ビーム６は、記録されるべきディジタル情報信号に従って記録手段９により変調される。これらのディジタル情報信号は、ＣＤ規格に記載されているように、ＥＦＭ変調とＣＩＲＣ誤り訂正符号化を採用して、符号化手段１０により好適に符号化される。Ａ／Ｄ変換手段及び／又は特別なインターフェース回路を有する入力手段１１は、アナログ及び／又はディジタル情報信号を受信する。
【００２４】
代わりに、記録媒体３上の記録されたディジタル情報信号は、適する読出し手段１３により同じ光学的ピックアップユニット５を介して読み出される。これらは、ＥＦＭ復調とＣＩＲＣ誤り訂正処理を行う復号手段１４に接続されている。符号化され且つ訂正された信号は、Ｄ／Ａ手段及び／又は適するインターフェース回路を有する出力手段１５を介して、ディジタル及び／又はアナログ情報信号として出力される。
【００２５】
更に加えて、アドレス検出手段１２が、記録媒体３上にあるアドレス情報を決定するために設けられる。例えば絶対時間コードの形式の、そのようなアドレス情報は、欧州特許番号３９０２６８（ＰＨＮ１３１４８）で開示されているような予め形成されたトラック変調の手段によりトラック８に記録されても良い。そのようなトラックは、オランダ国特許出願番号ＮＬ−Ａ−８８００１５２（ＰＨＮ１２３９９９）に更に詳細に説明されている。アドレス検出手段１２は、予め形成されたトラック変調により発生された検出信号中の信号成分からアドレス信号を得る。アドレス信号は制御ユニット１６に与えられる。
【００２６】
全てのユニットは制御ユニット１６により制御される。制御ユニット１６は、本発明に従った方法を実行するために、メモリ手段にロードされた特定のプログラムに従って動作する処理ユニットを有する。
【００２７】
特に、制御ユニット１６は、前述のように、記録媒体３に存在しうる絶対時間基準（ＡＴＩＰ）の時間ジャンプに関連する情報を含む。これは、記録装置１が、記録媒体３上の前述の領域を、最適パワー制御（ＯＰＣ）手順及び／又は一時的なテーブルオブコンテンツ（ＴＯＣ）のために使用されるように配置することを可能とする。
【００２８】
本発明を好適な実施例と共に説明したが、これらは制限的な例ではないと理解されるべきである。従って、種々の変形は、請求項に記載された本発明の範囲から離れることなく当業者には明らかである。本発明は、ハードウェアとソフトウェアの手段により実行できそして、幾つかの”手段”は、同じハードウェアで表されうる。更に、本発明は、新しい特徴とその組合せを有する。用語”含む”は請求項に記載された他の構成要素又はステップの存在を除外しないことにも注意する。参照符号は、請求項の範囲を制限しない。
【図面の簡単な説明】
【図１】  現在のＡＴＩＰ対ディスク直径を示す図である。
【図２】  本発明の第１の実施例に従って変更された、変更されたＡＴＩＰ対ディスク直径を示す図である。
【図３】  本発明の第２の実施例に従って変更された、図２のＰＣＡ，ＰＭＡ及び、リードイン領域の詳細な構造を示す図である。
【図４】  本発明の第３の実施例に従って変更された、変更されたＡＴＩＰ対ディスク直径を示す図である。
【図５】  本発明の実施例に従った記録装置を示す図である。
【図１】
0004724342.tif 000002
【図２】
0004724342.tif 000003
【図３】
0004724342.tif 000004
【図４】
0004724342.tif 000005
【図５】
0004724342.tif 000006